(57)【要約】  コンピュータを、音楽ＣＤなどから読み取った音楽データをコンピュータ機器で利用可能なファイル形式の音楽データに変換するファイル形式変換手段１４、変換された音楽データとメディアなどから読み取った画像データとに基づいて動画データを生成し、該動画データからＤＶＤプレーヤなどの家電機器で再生可能なファイル形式の家電機器用データを生成するデータ生成手段１５、変換された音楽データと生成された家電機器用データと必要に応じて読み取った画像データとを記録媒体に記録させる記録制御手段、として機能させる。これにより、記録媒体に記録された音楽データに基づく音楽を家電機器でもコンピュータ機器でも鑑賞することができる。【特許請求の範囲】
【請求項１】
コンピュータを、
音楽データのファイル形式を変換するファイル形式変換手段、
ファイル形式が変換された前記音楽データと画像データとに基づいて特定種類のデータを生成するデータ生成手段、
記録手段に、少なくとも、ファイル形式が変換された前記音楽データと生成された前記特定種類のデータとを記録媒体に記録させる記録制御手段、として機能させる記録プログラム。
【請求項２】
前記記録制御手段は、ファイル形式が変換された前記音楽データと前記特定種類のデータとに加えて、前記画像データを前記記録媒体に記録させる請求の範囲第１項に記載の記録プログラム。
【請求項３】
ファイル形式が変換される前の音楽データはＡｕｄｉｏ−ＣＤ形式のデータであり、ファイル形式が変換された後の音楽データはＭＰ２形式、ＭＰ３形式、ＷＡＶ形式、ＷＭＡ形式、ＭＩＤＩ形式のいずれかの形式のデータであり、前記生成された特定種類のデータはＶｉｄｅｏ−ＣＤ形式のデータであることを特徴とする請求の範囲第１項に記載の記録プログラム。
【請求項４】
ファイル形式が変換される前の音楽データはＡｕｄｉｏ−ＣＤ形式のデータであり、ファイル形式が変換された後の音楽データはＭＰ３形式のデータであり、前記生成された特定種類のデータはＤＶＤ−Ｖｉｄｅｏ形式のデータであることを特徴とする請求の範囲第１項に記載の記録プログラム。
【請求項５】
音楽データと画像データとを読み取るデータ読み取り手段と、
前記音楽データのファイル形式を変換するファイル形式変換手段と、
ファイル形式が変換された前記音楽データと前記画像データとに基づいて特定種類のデータを生成するデータ生成手段と、
記録手段に、少なくとも、ファイル形式が変換された前記音楽データと生成された前記特定種類のデータとを記録媒体に記録させる記録制御手段と、を少なくとも備える記録装置。
【請求項６】
前記記録制御手段は、ファイル形式が変換された前記音楽データと前記特定種類のデータとに加えて、前記画像データを前記記録媒体に記録させる請求の範囲第５項に記載の記録装置。
【請求項７】
ファイル形式が変換される前の音楽データはＡｕｄｉｏ−ＣＤ形式のデータであり、ファイル形式が変換された後の音楽データはＭＰ２形式、ＭＰ３形式、ＷＡＶ形式、ＷＭＡ形式、ＭＩＤＩ形式のいずれかの形式のデータであり、前記生成された特定種類のデータはＶｉｄｅｏ−ＣＤ形式のデータであることを特徴とする請求の範囲第５項に記載の記録装置。
【請求項８】
ファイル形式が変換される前の音楽データはＡｕｄｉｏ−ＣＤ形式のデータであり、ファイル形式が変換された後の音楽データはＭＰ３形式のデータであり、前記生成された特定種類のデータはＤＶＤ−Ｖｉｄｅｏ形式のデータであることを特徴とする請求の範囲第５項に記載の記録装置。
【発明の詳細な説明】
【技術分野】
【０００１】
本発明は、記録媒体に音楽データや画像データなどを記録する記録プログラム及び記録装置に関する。
【背景技術】
【０００２】
近年、写真画像に関する様々なサービスが提供されている。例えば、フィルムカメラで写真を撮影した場合、ミニラボ等の写真店やコンビニエンスストア等の注文店に撮影済みのネガフィルムを持ち込むと、写真店ではネガフィルムを現像した後、写真画像をスキャナ等で読み取り、読み取った画像データをＣＤ−Ｒ、ＤＶＤ−Ｒ等の記録媒体に書き込んでユーザに提供するといったサービスが行われている。【０００３】
また、デジタルカメラで写真を撮影した場合、デジタルカメラやデジタルカメラ用メディアをミニラボ等の写真店に持ち込めば、店舗内に設けられた無人端末（キオスク）や店頭端末などを用いて、デジタルカメラやメディアに記録された画像データをＣＤ−Ｒ、ＤＶＤ−Ｒなどの記録媒体に書き込むこともできる（上記無人端末に関しては、例えば、下記特許文献１を参照）。【０００４】
また、ネガフィルムから読み取った画像データやデジタルカメラ、メディアから読み取った画像データを単に記録媒体に記録するのではなく、これらの画像データからスライドショーとして表示される動画データを作成し、ＤＶＤプレーヤやＤＶＤレコーダ、ＨＤＤレコーダ、ゲーム機などの家電機器で再生可能なＶｉｄｅｏ−ＣＤ形式などのデータに変換し、該データを画像データと共にＣＤ−ＲやＤＶＤ−Ｒなどの記録媒体に書き込むサービスも行われている。【０００５】
また、画像データからＶｉｄｅｏ−ＣＤ形式などのデータを生成したり、画像データやＶｉｄｅｏ−ＣＤ形式などのデータを記録媒体に書き込むためのアプリケーションを提供するサービスもあり、該アプリケーションを自宅のパーソナルコンピュータなどのコンピュータ機器にインストールすることにより、写真店などに出向かなくても自宅でデジタルカメラやメディアから読み取った画像データや生成したＶｉｄｅｏ−ＣＤ形式などのデータを記録媒体に書き込むこともできる。
【特許文献１】特開平１１−８８１７号公報（第３−４頁、第１図）
【０００６】
上記スライドショーを作成する場合、予め無人端末やコンピュータ機器に記録されている音楽データの中から所望の音楽データを指定すれば、上記無人端末やアプリケーションは、読み取った画像データと指定された音楽データとを合成して動画データを作成し、この動画データをＶｉｄｅｏ−ＣＤ形式などのデータに変換して音楽付きスライドショーを作成し、この音楽付きスライドショーが記録された記録媒体を用いることにより家電機器で音楽を鑑賞することができる。また、記録媒体に音楽データ自体も記録しておけば、コンピュータ機器でも音楽を鑑賞することができる。【０００７】
しかしながら、音楽付きスライドショーのＢＧＭとして使用する音楽データとして音楽ＣＤに記録されている楽曲を用いる場合、該音楽データは特定のファイル形式で記録されており、一部の楽曲の音楽データのみを取り出して記録媒体に記録することはできないため、このような場合にはコンピュータ機器で音楽を鑑賞することができないという問題がある。
【発明の開示】
【０００８】
本発明は、上記問題点に鑑みてなされたものであって、その主たる目的は、パーソナルコンピュータや次世代ＰＣなどのコンピュータ機器でも、ＤＶＤプレーヤやＤＶＤレコーダ、ＨＤＤレコーダ、ゲーム機などの家電機器でも音楽を鑑賞できるように、記録媒体に音楽データを記録する記録プログラム及び記録装置を提供することにある。
【０００９】
上記目的を達成するため、本発明の記録プログラムは、コンピュータを、音楽データのファイル形式を変換するファイル形式変換手段、ファイル形式が変換された前記音楽データと画像データとに基づいて特定種類のデータを生成するデータ生成手段、記録手段に、少なくとも、ファイル形式が変換された前記音楽データと生成された前記特定種類のデータとを記録媒体に記録させる記録制御手段、として機能させるものである。
【００１０】
本発明においては、前記記録制御手段は、ファイル形式が変換された前記音楽データと前記特定種類のデータとに加えて、前記画像データを前記記録媒体に記録させる構成とすることができる。
【００１１】
また、本発明においては、ファイル形式が変換される前の音楽データをＡｕｄｉｏ−ＣＤ形式のデータとし、ファイル形式が変換された後の音楽データをＭＰ２形式、ＭＰ３形式、ＷＡＶ形式、ＷＭＡ形式、ＭＩＤＩ形式のいずれかの形式のデータとし、前記生成された特定種類のデータをＶｉｄｅｏ−ＣＤ形式のデータとすることができる。
【００１２】
また、本発明においては、ファイル形式が変換される前の音楽データをＡｕｄｉｏ−ＣＤ形式のデータとし、ファイル形式が変換された後の音楽データをＭＰ３形式のデータとし、前記生成された特定種類のデータをＤＶＤ−Ｖｉｄｅｏ形式のデータとすることもできる。
【００１３】
また、本発明の記録装置は、音楽データと画像データとを読み取るデータ読み取り手段と、前記音楽データのファイル形式を変換するファイル形式変換手段と、ファイル形式が変換された前記音楽データと前記画像データとに基づいて特定種類のデータを生成するデータ生成手段と、記録手段に、少なくとも、ファイル形式が変換された前記音楽データと生成された前記特定種類のデータとを記録媒体に記録させる記録制御手段と、を少なくとも備えるものである。
【００１４】
このように、本発明の構成によれば、記録媒体には、少なくとも、コンピュータ機器で利用可能なファイル形式に変換された音楽データと、ファイル形式が変換された音楽データ及び画像データに基づいて生成された家電機器で利用可能な特定種類のデータと、必要に応じて画像データとが記録されているため、ユーザはコンピュータ機器でも家電機器でも音楽データに基づく音楽を鑑賞することができ、これにより記録媒体の価値を高めることができる。
【図面の簡単な説明】
【００１５】
【図１】本発明の一実施例に係る記録装置の外観構成を模式的に示す図である。
【図２】本発明の一実施例に係る記録装置の他の外観構成を示す図である。
【図３】本発明の一実施例に係る記録装置の他の外観構成を示す図である。
【図４】本発明の一実施例に係る記録装置の他の外観構成を示す図である。
【図５】本発明の一実施例に係る記録装置の他の外観構成を示す図である。
【図６】本発明の一実施例に係る記録装置の構成を示すブロック図である。
【図７】本発明の一実施例に係る記録装置を用いたデータの書き込み手順を示すフローチャート図である。
【図８】本発明の一実施例に係る記録媒体（ＣＤ−Ｒ）におけるデータの記録構造を示す図である。
【図９】本発明の一実施例に係る記録媒体（ＤＶＤ−Ｒ）におけるデータの記録構造を示す図である。
【図１０】本発明の一実施例に係る記録媒体におけるデータの記録領域を示す図である。
【図１１】記録媒体（ＣＤ−Ｒ）の構造を模式的に示す図である。
【図１２】本発明の一実施例に係る記録装置の表示手段に表示される画面例（メニュー画面）を示す図である。
【図１３】本発明の一実施例に係る記録装置の表示手段に表示される画面例（作業手順画面）を示す図である。
【図１４】本発明の一実施例に係る記録装置の表示手段に表示される画面例（読み取り先選択画面）を示す図である。
【図１５】本発明の一実施例に係る記録装置の表示手段に表示される画面例（画像選択画面）を示す図である。
【図１６】本発明の一実施例に係る記録装置の表示手段に表示される画面例（ＢＧＭ選択画面）を示す図である。
【発明を実施するための最良の形態】
【００１６】
本発明の記録プログラムは、その好ましい一実施の形態において、コンピュータを、音楽ＣＤなどから読み取った音楽データをパーソナルコンピュータや次世代ＰＣなど（以下、これらを総称してコンピュータ機器と呼ぶ。）で利用可能なファイル形式（例えば、ＭＰ２形式やＭＰ３形式）の音楽データに変換するファイル形式変換手段、ファイル形式が変換された音楽データとメディアなどから読み取った画像データとに基づいて動画データを生成し、該動画データからＤＶＤプレーヤやＤＶＤレコーダ、ＨＤＤレコーダ、ゲーム機など（以下、これらを総称して家電機器と呼ぶ。）で再生可能なファイル形式（例えば、Ｖｉｄｅｏ−ＣＤ形式やＤＶＤ−Ｖｉｄｅｏ形式）の家電機器用データを生成するデータ生成手段、記録手段に、ファイル形式が変換された音楽データと生成された家電機器用データと必要に応じて画像データとを記録媒体に記録させる記録制御手段、として機能させる。これにより、記録媒体に記録された音楽データに基づく音楽を家電機器でスライドショーのＢＧＭとして再生することができると共に、コンピュータ機器でも再生することができ、記録媒体の利用価値を高めることができる。
【実施例】
【００１７】
次に、本発明の一実施例に係る記録プログラム及び記録装置について、図１乃至図１６を参照して説明する。図１は、本実施例に係る記録装置の外観構成を模式的に示す図であり、図２乃至図５は、そのバリエーションを示す図である。また、図６は、記録装置の手段を示すブロック図であり、図７は、記録装置を用いたデータの記録手順を示すフローチャート図である。また、図８及び図９は、記録媒体におけるデータの記録構造を示す図、図１０は、記録媒体におけるデータの記録領域を示す図、図１１は、記録媒体（ＣＤ−Ｒ）の構造を模式的に示す図である。また、図１２乃至図１６は、記録装置の表示手段に表示される画面の構成例を示す図である。【００１８】
図１に示すように、本実施例の記録装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３、インターネット等の通信ネットワーク１１を介してサーバ１２に接続するネットワーク接続部、音楽データが記録された音楽ＣＤ１０や各種データを記録する記録媒体９を装填する記録媒体装填部４、ボタン、キーボード、マウス等の操作手段６及びＬＣＤ、ＣＲＴ等の表示手段５とを備え、上記記録媒体９がパーソナルコンピュータや次世代ＰＣなどのコンピュータ機器１７やＤＶＤプレーヤＤＶＤレコーダ、ＨＤＤレコーダ、ゲーム機などの家電機器１８で利用される。【００１９】
また、記録装置１に備える主な手段をブロック図で示すと図６のようになり、メディア装填部２や機器接続部３、ネットワーク接続部、記録媒体装填部４などを用いて所定の記録手段から画像データや音楽データを読み取るデータ読み取り手段１３と、読み取った音楽データをコンピュータ機器１７で利用可能なファイル形式（例えば、ＭＰ２形式やＭＰ３形式、ＷＡＶ形式、ＷＭＡ形式、ＭＩＤＩ形式など）に変換するファイル形式変換手段１４と、ファイル形式が変換された音楽データ及びメディア８などから読み取った画像データに基づいて動画データを生成し、該動画データから家電機器１８で利用可能なファイル形式（例えば、Ｖｉｄｅｏ−ＣＤ形式、ＤＶＤ−Ｖｉｄｅｏ形式、ＨＤＴＶ形式など）のデータ（以下、家電機器用データと呼ぶ。）を生成するデータ生成手段１５と、記録媒体装填部４などの記録手段に、ファイル形式が変換された音楽データと生成された家電機器用データと必要に応じて読み取った画像データなどとを記録媒体９に記録させる制御を行う記録制御手段１６と、スライドショーの表示などを行う表示手段５と、画像データや音楽データの選択などを行う操作手段６とを備えている。【００２０】
なお、上記各手段は記録装置１にハードウェアとして構成されていてもよいし、コンピュータを、少なくとも、ファイル形式変換手段１４、データ生成手段１５、記録制御手段１６として機能させる記録プログラムとして構成し、該記録プログラムを記録装置１にインストールして実行する構成とすることができる。また、図１では記録装置１としてパーソナルコンピュータなどのコンピュータ機器を示しているが、記録装置１の形態は任意であり、例えば、図２に示すように写真店やコンビニエンスストアなどの店舗に設置される無人端末（キオスク）としたり、図３に示すように専用のセットトップボックスとしたり、図４に示すようにポータブルライターとしたり、図５に示すように演算処理機能を備えたＤＶＤレコーダやＨＤＤレコーダとしたり、演算処理機能を備えたカーナビゲーション機器などとすることもできる。【００２１】
次に、上記構成の記録装置１（記録プログラム）を用いて、記録媒体９に各種データを記録する手順について、図７のフローチャート図を参照して説明する。【００２２】
まず、本実施例の記録装置１（又は記録プログラム）を起動すると、表示手段５に、例えば図１２に示すようなメニュー画面１９が表示される。このメニュー画面１９には、新しい記録媒体９を作成するか、以前に作成した記録媒体９を利用するかを選択するボタンが表示される。【００２３】
そして、ステップＳ１０１で、新しい記録媒体９の作成を指示する（”アルバムを作る”ボタンを押す）と、表示手段５に、例えば図１３に示すような作業手順画面２０が表示される。この作業手順画面２０には、記録媒体９に各種データを記録するまでの手順が表示され、ユーザが”写真を読み込む”を選択すると、表示手段５に、例えば図１４に示すような読み取り先選択画面２１が表示される。そして、ユーザがその中から所望の読み取り先を選択すると、表示手段５に、例えばメディア８をメディア装填部２に装填、又はデジタルカメラ７を機器接続部３に接続するように促すメッセージが表示される。【００２４】
次に、ステップＳ１０２で、メッセージの指示に従って記録装置１のメディア装填部２にメディア８を装填、又は機器接続部３にデジタルカメラ７を接続すると、ステップＳ１０３で、データ読み取り手段１３は、メディア８やデジタルカメラ７などに記録された画像データ（静止画像データ又は動画データ又はその双方）を読み取る。【００２５】
ここで、読み取る画像データはデジタルカメラ７で撮影して得られた画像データに限定されず、ネガフィルムや写真プリントをスキャンして得られた画像データや、ビデオテープレコーダなどから得られる動画データ、動画をキャプチャして得られた静止画像データなどであってもよく、読み取り先もＣＤ−ＲやＤＶＤ−Ｒなどの記録媒体や記録装置１のハードディスク、通信ネットワーク１１を介して接続されるサーバ１２などであってもよい。また、画像データのファイル形式も任意であり、例えば、静止画像データとして、デジタルカメラ７で撮像して得られたままの撮像画像データであるＲＡＷ形式、デジタルカメラ７固有の形式、ｅｘｉｆ（Exchangeable Image File Format）形式、ｂｍｐ（Windows（登録商標） Bitmapfile）形式、ｇｉｆ（CompuServe Graphics Interchange Format File）形式、ｔｉｆ（Tagget Image File Format file）形式、ｊｐｅｇ（Joint Photographic Coding Experts Group）形式などのデータを用いてもよく、動画データとして、ＡＶＩ（Audio Video Interleaving）形式、ＭＯＶ形式、ＭＰＥＧ（Moving Picture Experts Group）１、２、４、７形式、ＷＭＶ（Windows（登録商標） Media Video）形式などのデータを用いてもよい。【００２６】
そして、画像データの読み取りが終了すると、表示手段５に、例えば図１５に示すような画像選択画面２２が表示される。この画像選択画面２２には、読み取った画像データに基づく画像を一覧表示する一覧表示欄２３と、その中から選択した画像を拡大表示する拡大表示欄２４と、作業を選択する作業メニュー欄２５とが設けられており、ステップＳ１０４で、一覧表示欄２３で選択した画像を拡大表示欄２４で回転するなどして画像データを選択した後、必要に応じて、作業メニュー欄２５を操作して所定の画面を表示させ、画像の順番を変えたり、タイトルを入力したり、フォトフレームを作成したり、画像に文字を合成するなどの処理を行う。【００２７】
その後、作業メニュー欄２５からＢＧＭとして再生する音楽データを選択するためのボタン（”ＢＧＭを選ぶ”ボタン）を選択すると、表示手段５に、例えば図１６に示すようなＢＧＭ選択画面２６が表示される。このＢＧＭ選択画面２６には、音楽データの読み取り先を選択する読み取り先選択欄２７と、選択した読み取り先に記録されている音楽データを一覧表示する一覧表示欄２８と、作業を選択する作業メニュー欄２５とが設けられており、ステップＳ１０５で、読み取り先選択欄２５の中から所望の読み取り先（ここでは音楽ＣＤ）を選択すると、表示手段５に音楽ＣＤ１０を記録媒体装填部４に装填するように促すメッセージが表示される。【００２８】
次に、ステップＳ１０６で、メッセージの指示に従って記録装置１の記録媒体装填部４に音楽ＣＤ１０を装填すると、データ読み取り手段１３は、音楽ＣＤ１０に記録されている音楽データを検索してその中に記録されている音楽データ（楽曲）を一覧表示欄２８に表示する。そして、必要に応じて”試聴する”ボタン”を操作して試聴した後、ステップＳ１０７で、一覧表示欄２８に表示された音楽データの中からスライドショーのＢＧＭとして利用する音楽データを選択する。【００２９】
ここで、音楽データの読み取り先が音楽ＣＤ１０の場合、音楽ＣＤにはＡｕｄｉｏ−ＣＤ形式などで音楽データが記録されており、Ａｕｄｉｏ−ＣＤ形式の音楽データの一部を取り出してもコンピュータ機器１７で再生することはできない。そこで、ステップＳ１０８で、ファイル形式変換手段１４は、選択された楽曲を、ＭＰ２（MPEG Audio Layer-2）形式、ＭＰ３（MPEG Audio Layer-3）形式、ＷＡＶ形式、ＷＭＡ（Windows（登録商標） Media Audio）形式、ＭＩＤＩ（Musical Instruments Digital Interface）形式などのコンピュータ機器１７で再生可能なファイル形式の音楽データに変換する。例えば、後のステップでＶｉｄｅｏ−ＣＤ形成の家電機器用データを生成してＣＤ−Ｒなどに記録する場合は、音楽データをＭＰ２、ＭＰ３、ＷＡＶ、ＷＭＡ、ＭＩＤＩなどの形式に変換し、ＤＶＤ−Ｖｉｄｅｏ形成の家電機器用データを生成してＤＶＤ−Ｒなどに記録する場合は、音楽データをＭＰ３形式に変換する。なお、ファイル形式変換手段１４は、音楽データのファイル形式を変換する処理を行うものであればよく、読み取り先の音楽データのファイル形式や変換後の音楽データのファイル形式は特に限定されず、例えば、読み取り先にＷＡＶ形式の音楽データが記録されている場合に、該音楽データをＭＰ２などの他の形式の音楽データに変換する処理を行ってもよい。【００３０】
次に、必要に応じて、作業メニュー欄２５の”スライドショーを確認”ボタンを選択して音楽付きスライドショーを確認した後、ステップＳ１０９で、データ生成手段１５は、ファイル形式が変換された音楽データと読み取った画像データとに基づいて動画データを生成し、生成された動画データを家電機器で再生可能な形式（Ｖｉｄｅｏ−ＣＤ形式、ＤＶＤ−Ｖｉｄｅｏ形式、ＨＤＴＶ形式など）の家電機器用データに変換する。具体的には、例えば、ＭＰ２、ＭＰ３、ＷＡＶ、ＷＭＡ、ＭＩＤＩなどの形式の音楽データと画像データとを合成してＭＰＥＧ１形式の動画データを生成し、この動画データからＶｉｄｅｏ−ＣＤ形式のデータを生成したり、ＭＰ３形式の音楽データと画像データとを合成してＭＰＥＧ１形式又はＭＰＥＧ２形式の動画データを生成し、この動画データからＤＶＤ−Ｖｉｄｅｏ形式のデータを生成する。【００３１】
なお、画像データ及び音楽データから動画データを生成する方法は特に限定されず、例えば、画像を順次表示する場合はスライド間隔分の差分０のデータを付加し、また、所定のスライド効果で画像を表示する場合はスライド効果に基づく差分データを付加して動画データを生成すればよい。また、家電機器用データの生成と共に、必要に応じて、データ生成手段１５を用いて、読み取った画像データのデータサイズを縮小したサムネイル画像データやスクリーンネイル画像データなどの縮小画像データを作成してもよい。【００３２】
次に、作業メニュー欄２５の”メディアに書き込む”を選択すると、表示手段５に記録媒体９を記録媒体装填部４に装填するように促すメッセージが表示され、ステップＳ１１０で、該メッセージに従って記録装置１の記録媒体装填部４にＣＤ−Ｒ／ＲＷやＤＶＤ±Ｒ／ＲＷ、ＤＶＤ−ＲＡＭ、Ｂｌｕ−ｒａｙディスクなどの記録媒体９を装填する。【００３３】
この記録媒体９は任意の記録媒体とすることができるが、特定の記録媒体９に対してのみデータの記録が行われるようにしてもよく、その場合は、ステップＳ１１１で記録媒体９の所定の領域に記録媒体９を識別するための識別情報が記録されているか否かを調べる構成としてもよい。この識別情報の内容は限定されず、記録媒体９の製造者に対応するコード（製造者コード、通称Ｍコード）や記録媒体９の規格に対応するコード（タイプコード、通称Ｔコード）などとすることができる。また、上記識別情報は適正な記録媒体に対してデータを記録するために設けるものであり、識別情報の記録場所や中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。【００３４】
ここで、一般的な記録媒体９の構造について、図１１を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。【００３５】
次に、記録媒体９にファイル形式を変換した音楽データや生成した家電機器用データを記録するが、家電機器１８ではデータを読み込むことができる記録領域が限定されるため、ステップＳ１１２で、記録制御手段１６を用いて、生成したＶｉｄｅｏ−ＣＤ形式などの家電機器用データを記録媒体９の論理アドレス領域の内側に記録する。なお、この論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ）情報の領域は含まない領域である。【００３６】
次に、必要に応じてセッションをクローズした後、ステップＳ１１３で、記録制御手段１６を用いて、ステップＳ１０８でファイル形式を変換した音楽データと、必要に応じてステップＳ１０３で読み取った画像データや、スライドショープログラムなどのアプリケーション、スライドショーの設定ファイル、情報ファイル、自動起動ファイルなどを先に記録されたＶｉｄｅｏ−ＣＤ形式などの家電機器用データの外側に記録して一連の書き込み処理を終了する。【００３７】
上記手順で作成された記録媒体９は、例えば、図１０に示すように各種データが記録され、ディスク型記録媒体９の最内周の論理アドレス領域外（上記論理アドレス領域以外の領域であって論理アドレス領域よりも内周側に位置する領域）には必要に応じて所定の識別情報が記録され、その外周に位置する論理アドレス領域の内周側の領域には家電機器用データが記録され、更に家電機器用データの外周側の領域にはファイル形式が変換された音楽データや必要に応じて画像データなどが記録される。【００３８】
また、上記手順で作成された記録媒体９（ＣＤ−Ｒ）のディレクトリ構造は、例えば、図８に示すようになり、”PS_Roll”フォルダ内に格納された画像データや音楽データ、縮小画像データ、”APPL”フォルダ内に格納されたスライドショープログラムやスライドショーの再生指示情報（Slidesetting.ini）、記録媒体９に関する各種情報が記述された情報ファイル（index.pvm）や自動起動ファイル（Autrun.inf）などでコンピュータ機器用データが構成され、”VCD”フォルダ内の画像データをＶｉｄｅｏ−ＣＤ形式として関連付けるファイル、”SEGMENT”フォルダ内のＴＶ画面に表示する静止画像データ、”MPEGAV”フォルダ内の動画データ、”DAT”フォルダ内のＴＶ画面に静止画像データを表示するためのアプリケーションなどで家電機器用データ（Ｖｉｄｅｏ−ＣＤデータ）が構成される。【００３９】
また、記録媒体９（ＤＶＤ−Ｒ）のディレクトリ構造は、例えば、図９に示すようになり、上記と同様のコンピュータ機器用データが構成され、”VIDEO_TS”フォルダ内のビデオマネージャ（ＶＭＧ）とビデオタイトルセット（ＶＴＳ）とで家電機器用データ（ＤＶＤ−Ｖｉｄｅｏデータ）が構成される。より具体的には、ＶＭＧは、ビデオ全体を制御するための情報が記録されたVIDEO_TS.IFO、そのバックアップファイルであるVIDEO_TS.BUP、タイトル選択メニューのためのVIDEO_TS.VOBファイルで構成され、ＶＴＳは、ＶＴＳ全体を制御する情報が記述されたVTS_**_0.IFO、そのバックアップファイルであるVTS_**_0.BUP、ＶＴＳの各タイトルの動画データであるVTS_**_*.VOBなどで構成される。【００４０】
なお、画像データや音楽データのディレクトリ構造は任意であるが、画像データや音楽データをコンピュータ機器などにバックアップした場合における管理を容易にするために、例えば、図８及び図９に示すように、画像データの格納場所を示すフォルダ（PS_Roll）の下位の階層にメディア８毎、機器毎、フィルム毎のデータの格納場所を示すフォルダ（ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などを作成したり、各々のデータをCCYYMMDDxxxxxx（CC：データの種別、YYMMDD：書き込み年月日を特定する数字、xxxxxx：シーケンシャル番号）などにリネームしてもよい。【００４１】
このように、本実施例の記録装置１又は記録プログラムでは、読み取り先の音楽ＣＤなどから読み取った音楽データをコンピュータ機器で利用可能なファイル形式の音楽データに変換し、ファイル形式が変換された音楽データとメディア８などから読み取った画像データとに基づいて家電機器用データを生成し、ファイル形式が変換された音楽データと生成された家電機器用データと必要に応じて読み取った画像データなどとを記録媒体９に書き込むため、ユーザはＤＶＤプレーヤ、ＤＶＤレコーダ、ＨＤＤレコーダ、ゲーム機などの家電機器１８でも、パーソナルコンピュータや次世代ＰＣなどのコンピュータ機器１７でも音楽を鑑賞することができ、これにより記録媒体９の利用価値を高めることができる。【００４２】
なお、表示手段５に表示される画面は例示であり、メニュー画面１９や作業手順画面２０、読み取り先選択画面２１などは必ずしも表示されなくてもよい。また、上記フローでは画像データを読み取った後に音楽データを読み取っているが、データの読み取り順などは適宜入れ替えることもできる。また、上記実施例では、音楽ＣＤから音楽データを読み取る場合について説明したが、本発明は上記実施例に限定されるものではなく、音楽データのファイル形式が変換されて記録媒体９に記録される構成であればよく、例えば、ＤＶＤ−Ａｕｄｉｏ形式の音楽データが記録された音楽ＤＶＤなどから音楽データを読み取ってもよいし、他の記録手段（記録装置１のハードディスクやサーバ１２、他の記録媒体など）から音楽データを読み取ってもよい。
【産業上の利用可能性】
【００４３】
本発明の記録プログラム及び記録装置によれば、ユーザはパーソナルコンピュータや次世代ＰＣなどのコンピュータ機器でも、ＤＶＤプレーヤやＤＶＤレコーダ、ＨＤＤレコーダ、ゲーム機などの家電機器でも、音楽データに基づく音楽を鑑賞することができ、これにより記録媒体の価値を高めることができる。【００４４】
その理由は、記録装置又は記録プログラムでは、音楽ＣＤなどから読み取った音楽データをコンピュータ機器で利用可能なファイル形式の音楽データに変換し、ファイル形式が変換された音楽データとメディアなどから読み取った画像データとに基づいて動画データを生成し、該動画データから家電機器で利用可能なＶｉｄｅｏ−ＣＤ形式などの家電機器用データを生成し、少なくともファイル形式が変換された音楽データと生成された家電機器用データとを記録媒体に記録する制御を行うからである。
【図１】
2006030616.tif 000002
【図２】
2006030616.tif 000003
【図３】
2006030616.tif 000004
【図４】
2006030616.tif 000005
【図５】
2006030616.tif 000006
【図６】
2006030616.tif 000007
【図７】
2006030616.tif 000008
【図８】
2006030616.tif 000009
【図９】
2006030616.tif 000010
【図１０】
2006030616.tif 000011
【図１１】
2006030616.tif 000012
【図１２】
2006030616.tif 000013
【図１３】
2006030616.tif 000014
【図１４】
2006030616.tif 000015
【図１５】
2006030616.tif 000016
【図１６】
2006030616.tif 000017
【国際調査報告】
2006030616.tif 000018
2006030616.tif 000019
2006030616.tif 000020